(57)【要約】【課題】化粧カバーと無線アンテナの距離を設定するアンテナ距離設定機構を備えた携帯式コンピュータを提供する。【解決手段】  上部筐体２３と、グランド１０４、１１２と放射素子１０５、１１３を備え上部筐体に移動可能に取り付けられた無線アンテナ１０１、１１１は、誘電材料で形成された化粧カバーで覆われる。アンテナ距離設定機構は無線アンテナ支持部材２００、弾力部材２０９ａ、２０９ｂ、と突起部２１１ａ〜２１１ｄで構成される。無線アンテナ支持部材は、上部筐体に移動可能に取り付けられている。化粧カバーを上部筐体に取り付けたとき、化粧カバーの内壁２４は突起部の先端を弾力部材の弾力に抗して押し込んで放射素子と化粧カバーの内壁との間隔を所定の距離に設定する。【選択図】図４
2008244963.tif 000002
【特許請求の範囲】
【請求項１】
システム要素を収納するメイン筐体と、
前記メイン筐体に取り付けられた上部筐体と、
グランドと放射素子を備え前記上部筐体に移動可能に取り付けられた無線アンテナと、
誘電材料で形成され前記無線アンテナを覆うように配置された化粧カバーと、
前記化粧カバーが前記無線アンテナを覆う際に前記無線アンテナの位置を移動させて前記放射素子と前記化粧カバーの内壁との間隔を所定の距離に設定するアンテナ距離設定機構と
を有する携帯式コンピュータ。
【請求項２】
前記無線アンテナは、誘電体に対して前記所定の距離に配置されたときに前記携帯式コンピュータに要求される共振周波数を備えるように製作されている請求項１記載の携帯式コンピュータ。
【請求項３】
前記アンテナ距離設定機構は、前記化粧カバーが前記上部筐体に取り付けられたことに連動して前記放射素子と前記化粧カバーの内壁との間隔を前記所定の距離に設定する請求項１記載の携帯式コンピュータ。
【請求項４】
前記アンテナ距離設定機構は、前記無線アンテナを前記化粧カバーの内壁に押し付ける方向に弾力を付与する弾力部材を含む請求項１記載の携帯式コンピュータ。
【請求項５】
前記アンテナ距離設定機構は、前記放射素子より前記化粧カバーの内壁側に突き出たストッパを有し、前記弾力部材の弾力で前記ストッパを前記化粧カバーの内壁に押し付けて前記放射素子と前記化粧カバーの内壁との間隔を前記所定の距離に設定する請求項４記載の携帯式コンピュータ。
【請求項６】
前記アンテナ距離設定機構が前記無線アンテナを支持し前記上部筐体の側面に移動可能に取り付けられた合成樹脂製のアンテナ支持部材を有し、該アンテナ支持部材は両端部近辺で前記弾力部材により弾力が付与され、前記両端部より中央部が前記化粧カバーの内壁に近づくように膨らんでいる請求項４記載の携帯式コンピュータ。
【請求項７】
前記グランドが前記上部筐体の底面に沿って配置され、前記放射素子は前記グランドからほぼ直角に折れ曲がって前記化粧カバーの内壁に対向しており、前記アンテナ距離設定機構は前記グランドを前記上部筐体の底面に沿ってスライドさせて前記放射素子と前記化粧カバーの内壁との間隔を前記所定の距離に設定する請求項４記載の携帯式コンピュータ。
【請求項８】
前記無線アンテナは無線ＷＡＮに使用される逆Ｆ型アンテナである請求項１記載の携帯式コンピュータ。
【請求項９】
前記上部筐体が金属で形成され、前記化粧カバーは前記上部筐体に着脱可能に取り付けられている請求項１記載の携帯式コンピュータ。
【請求項１０】
誘電材料で形成されたカバーで覆われた無線アンテナと前記カバーの内壁との間隔を所定の距離に設定するアンテナ距離設定機構であって、
前記無線アンテナを支持する支持手段と、
前記支持手段に対して前記内壁に向かう弾力を付与する弾力手段と、
前記カバーで前記無線アンテナを覆うときに前記弾力で前記無線アンテナを前記カバーの内壁に押し付けて前記無線アンテナの放射素子と前記内壁との間隔を設定するアンテナ距離設定手段と
を有するアンテナ距離設定機構。
【発明の詳細な説明】
【技術分野】
【０００１】
本発明は、携帯式コンピュータに内蔵される無線アンテナの特性を良好に保つ技術に関し、さらに詳細には、無線アンテナと誘電体との間隔を所定の値に維持する技術に関する。
【背景技術】
【０００２】
無線ＬＡＮ（local area network）や無線ＷＡＮ（wide area network）が普及した結果、近年販売されるノートブック型コンピュータ（以下、ノートＰＣという。）の多くは無線通信用の無線アンテナを標準で内蔵している。無線アンテナはユーザがノートＰＣを操作する際の一般的な姿勢で最も良好な通信ができるよう、液晶ディスプレイの上側および横側に配置される。ダイバーシティ通信やＭＩＭＯ（Multiple Input Multiple Output）通信などのような複数のアンテナを使用する通信方式への対応、あるいは無線ＬＡＮや無線ＷＡＮなどのような複数の通信規格への対応などの理由で、１台のノートＰＣには４〜５個といった複数のアンテナが搭載されることがある。なお、本明細書においては、以後ノートＰＣの液晶ディスプレイを収納する筐体をディスプレイ側筐体といい、ＣＰＵ、マザー・ボード、ハードディスクなどのコンピュータを構成する主要なシステム要素を収納する筐体をメイン筐体という。
【０００３】
合成樹脂は導電率が極めて低いため、合成樹脂の筐体で無線アンテナを遮蔽しても無線通信は可能である。初期の頃のノートＰＣでは、ディスプレイ側筐体が剛性のある合成樹脂で製作され無線アンテナは筐体の内壁に貼り付けられていた。その後、軽量化および薄型化の要請に対応するためにディスプレイ側筐体が導電率の高い金属で製作されるようになり、無線アンテナは筐体の一部を切除した部分に配置されて、その表面が意匠的な要請と安全性の確保のために合成樹脂で形成されたキャップで蓋がされる構造を採用するようになった。
【０００４】
ノートＰＣのディスプレイ側筐体に対する無線アンテナの取付構造に関する従来技術には以下のようなものがある。特許文献１は、筐体の一部を取り外せば無線アンテナおよび無線モジュールの交換が可能なノートＰＣを開示する。特許文献２は、金属製のディスプレイ側筐体の外側側面に無線アンテナを取り付け、その無線アンテナを覆うように低導電率材料の側面カバーを取り付けたノートＰＣの筐体を開示する。特許文献３は、金属製ケースから無線アンテナを飛び出させた形で固定し、その周辺を低導電率材料のカバーで覆って、無線アンテナ部を周囲の筐体の内壁から離間した形に保持したノートＰＣの筐体を開示する。
【特許文献１】特開２００２−１４９２７３号公報
【特許文献２】特開２００３−２０２９３８号公報
【特許文献３】特開２００４−２８０３３１号公報
【発明の開示】
【発明が解決しようとする課題】
【０００５】
無線アンテナは周囲環境の誘電率の影響で利得や共振周波数が変化する。したがって、誘電体が近くに存在する環境で使用される無線アンテナは、あらかじめ使用時の誘電体までの距離を設定しておき、その設定した距離で所定の利得や共振周波数が得られるように製作する。以後、本明細書においてこの無線アンテナの放射素子と近くに配置される誘電体との距離を設定距離という。誘電体である合成樹脂でディスプレイ側筐体を製作する場合には、筐体の内部に無線アンテナを配置しても無線アンテナは機能するが、無線アンテナと筐体の内壁との間隔が設定距離からずれると所定の利得が得られなかったり共振周波数がずれたりする。したがって誘電体で無線アンテナの表面を覆う場合は、実際にノートＰＣに無線アンテナを取り付ける際に、設定距離を維持する必要がある。
【０００６】
ディスプレイ側筐体に無線アンテナを貼り付ける従来の方法によれば、筐体の内壁と無線アンテナとの距離は極めて短いながら一定の値になる。したがって、設定距離を無線アンテナを内壁に貼り付けたときの無線アンテナと内壁の距離にすることで製作時に意図したアンテナ特性を得ることができる。金属でディスプレイ側筐体を製作する場合も、キャップと無線アンテナとを密着させることで、ノートＰＣに実際に無線アンテナを取り付ける際に設定距離を再現することができる。
【０００７】
本発明の出願人に譲渡された特願２００７−６９９４７号では、剛性のある合成樹脂や金属で形成されたような従来のものとは異なる新規なディスプレイ側筐体の構造を提案している。この構造は、従来のディスプレイ側筐体の機能を強度機能とカバー機能に分離して強度機能を金属で形成された上部筐体が分担し、カバー機能を合成樹脂で形成された化粧カバーが分担するようになっている。このような構造を採用することで、ノートＰＣの一層の薄型化と軽量化を図ることができるが、意匠的には無線アンテナを化粧カバーの内側に配置する必要があるため設定距離を確保するために無線アンテナの取り付けに工夫が必要となる。
【０００８】
たとえば、化粧カバーの内壁に無線アンテナを貼り付けてから、化粧カバーを上部筐体に取り付けるという方法が考えられる。この方法によれば無線アンテナと化粧カバーとの距離を容易に設定距離にすることができるが、化粧カバーに貼り付けられた無線アンテナから筐体内部の無線モジュールに通じるケーブルの配線および接続に手間がかかる。このような筐体構造は、化粧カバーをユーザが取り外して好みの色やデザインのものに交換できるというメリットがあるが、無線アンテナが化粧カバーに貼り付けられているとそのメリットを得ることはできない。さらに、ノートＰＣのメンテナンスで筐体の分解および再組み立てをする際にも手間がかかることになる。
【０００９】
他の方法として、無線アンテナを上部筐体に取り付け、電波の透過を確保するために化粧カバーの無線アンテナに対応する部分を切除する方法が考えられる。この場合、無線アンテナが筐体外部に対して露出すると安全性や意匠上の問題が残るので、誘電体で製作したキャップで蓋をすることになる。したがって、誘電体と無線アンテナとを設定距離にするための工夫が必要となり、また、化粧カバーの強度が低下し意匠的に見劣りがする。そこで本発明の目的は、誘電材料で形成された化粧カバーで覆われた無線アンテナの性能を維持することができる携帯式コンピュータを提供することにある。さらに本発明の目的は、無線アンテナの放射素子と誘電材料で形成されたカバーとの間隔を設定するアンテナ距離設定機構を提供することにある。
【課題を解決するための手段】
【００１０】
本発明の態様では、上部筐体に無線アンテナが移動可能に取り付けられ、誘電材料で形成された化粧カバーが無線アンテナを覆う。化粧カバーと無線アンテナは、組み立て工程で上部筐体に取り付けられるが、本発明では、化粧カバーが無線アンテナを覆う際にアンテナ距離設定機構が無線アンテナを移動させて放射素子と化粧カバーの内壁との間隔を所定の距離に設定する。ここに化粧カバーが無線アンテナを覆う際とは、化粧カバーを携帯式コンピュータに完全に取り付けが完了するまでの期間と取り付けた直後までの期間を含んでいる。所定の距離（設定距離）は、放射素子の表面と化粧カバーの内壁が接触する実質的な距離がゼロの場合も含んでいる。設定距離が確保されると無線アンテナは製作時に目標とした利得や共振周波数などの所定の性能を発揮することができる。
【００１１】
無線アンテナをこの設定距離に対して携帯式コンピュータで要求される共振周波数を備えるように製作しておけば、アンテナがメイン筐体に取り付けられ化粧カバーで覆われても共振周波数のずれをなくすことができる。アンテナ距離設定機構は、化粧カバーの表面に手動レバーを出してユーザが操作するようなものでもよいが、化粧カバーが上部筐体に取り付けられたことに連動して設定距離に設定する構造にすると、携帯式コンピュータの組み立てが容易になり余分なレバーを携帯式コンピュータの表面に出す必要がなくなるので意匠的にもコスト的に有利である。
【００１２】
アンテナ距離設定機構は、無線アンテナに対して放射素子を化粧カバーの内壁に押し付ける方向に弾力を付与する弾力部材を含んで構成することができる。弾力により無線アンテナを内壁に押し付けることにより、化粧カバーや上部筐体の製造および組み立て公差を吸収して設定距離を確実に確保することができる。また、携帯式コンピュータが持ち運ばれるときの振動や衝撃に対しても確実に設定距離を維持することができる。アンテナ距離設定機構は、放射素子より化粧カバーの内壁側に突き出たストッパを有し、弾力部材の弾力でストッパを化粧カバーの内壁に押し付けて放射素子と化粧カバーの内壁の間隔を設定距離に設定する構成にすることもできる。このように構成すると、放射素子と化粧カバーの内壁とを直接接触させないでも設定距離を確保することができる。したがって、使用中に上部筐体と化粧カバーとの間にわずかなズレが発生したり、化粧カバーを着脱したりすることにより放射素子の表面が損傷する事態を防ぐことができる。
【００１３】
アンテナ距離設定機構は、上部筐体の側面に移動可能に取り付けられ放射素子を支持する合成樹脂製のアンテナ支持部材を含んで構成することができる。そして、アンテナ支持部材の両端部より中央部が化粧カバーの内壁に近づくように膨らんでいるようなアーチ状にすると、弾力部材で両端部に弾力を付与するような場合でも中央部は化粧カバーの内壁に向かって十分に押し付けられアンテナ支持部材も弾力を発揮して設定距離を確実に確保できるようになる。
【００１４】
無線アンテナのグランドが上部筐体の底面に沿って配置され、放射素子がグランドからほぼ直角に折れ曲がって化粧カバーの内壁に対向するような無線アンテナでは、設定機構がグランドを上部筐体の平面に沿ってスライドさせるようにして放射素子と内壁の間隔を設定することができる。無線アンテナが無線ＷＡＮに使用される逆Ｆ型アンテナの場合は、周波数が高いため特に微妙な間隔の設定が要求されるが、本発明にかかるアンテナ距離設定機構によりこれに対応することができる。無線アンテナと化粧カバーとは分離が可能なので、化粧カバーを上部筐体に着脱可能に取り付けることができる。着脱可能に取り付けるとは、ネジや、嵌め込みとラッチなどにより特殊な工具や技能を必要としないで、ユーザでも着脱できることを意味している。
【発明の効果】
【００１５】
本発明により、誘電材料で形成された化粧カバーで覆われた無線アンテナの性能を維持することができる携帯式コンピュータを提供することができた。さらに本発明により、無線アンテナの放射素子と誘電材料で形成されたカバーとの間隔を設定するアンテナ距離設定機構を提供することができた。
【発明を実施するための最良の形態】
【００１６】
図１は、本発明の実施の形態にかかるノートＰＣ１０の構成を示す斜視図である。ノートＰＣ１０は、表面にキーボードおよびポインティング・デバイスを搭載し内部にＣＰＵ、マザー・ボード、ハードディスク、および無線モジュールなどの多くのシステム・デバイスを収納したメイン筐体１１と、液晶ディスプレイ（ＬＣＤ）を表面に搭載したディスプレイ側ユニット１３とで構成される。ディスプレイ側ユニット１３は、連結部１５を介して、メイン筐体１１に対して開閉自在に取り付けられている。
【００１７】
図２は、ディスプレイ側ユニット１３の構成を示す分解斜視図である。ディスプレイ側ユニット１３は、主として化粧カバー２１と上部筐体２３とディスプレイ・モジュール２５とベゼル２７で構成されている。化粧カバー２１と上部筐体２３は、背景技術で説明した従来のディスプレイ側筐体に相当する。上部筐体２３は、ディスプレイ側ユニット１３の構造部材として機能し、連結部１５を介してメイン筐体１１（図１参照）に対して開閉自在に取り付けられる。上部筐体２３は、マグネシウムやアルミニウムなどのダイカストで複数のリブを組み合わせた構造に成形されており軽量で所定の剛性を確保できるように構成されている。
【００１８】
上部筐体２３は箱状に成形されており、内側に液晶モジュールやバックライトで構成されたディスプレイ・モジュール２５が収納されている。上部筐体２３の外側は化粧カバー２１の内側に接触する。ディスプレイ・モジュール２５は、メイン筐体１１の内部に収納されたビデオ・カード（図示せず）に接続される。ノートＰＣ１０は無線ＬＡＮおよび無線ＷＡＮという２つの無線通信規格に対応しており、これらに使用するために上部筐体２３には複数の無線アンテナ１０１〜１０３、１１１、１１２が取り付けられている。
【００１９】
無線アンテナ１０１〜１０３は無線ＬＡＮに使用するアンテナであり、３本の無線アンテナによりＭＩＭＯ（multi input multi output）通信に使用される。また、無線アンテナ１１１、１１２は無線ＷＡＮに使用するアンテナであり、２本の無線アンテナによりダイバーシティ通信に対応する。無線アンテナ１０１、１１１は、それぞれアンテナ支持部材２００を介して上部筐体２３に取り付けられている。その他の無線アンテナ１０２、１０３、１１２は、上部筐体２３に直接取り付けられている。
【００２０】
本実施の形態では、無線ＬＡＮによる通信においては、ディスプレイ側ユニット１３の側面にあたる位置に取り付けられる無線アンテナ１０１をメインの無線アンテナとして使用する。また無線ＷＡＮによる通信においては、ディスプレイ側ユニット１３の側面にあたる位置に取り付けられる無線アンテナ１１１をメインの無線アンテナとして使用する。無線アンテナ１０１〜１０３、１１１、１１２は放射素子と誘電体との間隔に対してあらかじめ設定距離を設定し、設定距離において無線ＷＡＮや無線ＬＡＮに要求される共振周波数で動作するように製作されている。
【００２１】
化粧カバー２１はポリカーボネート樹脂やＡＢＳ樹脂などのプラスチックで形成されている。化粧カバー２１は、ディスプレイ・モジュール２５を収納し無線アンテナ１０１〜１０３、１１１、１１２が取り付けられた上部筐体２３を覆うように上部筐体２３にネジ止めされる。ベゼル２７は、ディスプレイ・モジュール２５の前面に配置されて上部筐体２３に取り付けられディスプレイ・モジュール２５の周辺を覆う。
【００２２】
図３は、上部筐体２３の構造について示す化粧カバー２１側からみた斜視図である。上部筐体２３は、長辺が約３０ｃｍ、短辺が約２５ｃｍの長方形の板の内側に開口部が形成されたような形状である周辺部５１の端が、ディスプレイ・モジュール２５の収納が可能なように６〜７ｍｍ程度折り曲げられて箱状に形成されている。周辺部５１の一部と他の一部とは、それぞれ点線で示した範囲において４本のメイン・ブリッジ６３ａ〜６３ｄで連絡している。メイン・ブリッジ６３ａ〜６３ｄは、中央部７１で一体になるように結合しており中央部の押圧に対する強度を強化している。
【００２３】
そして、周辺部５１と４本のメイン・ブリッジ６３ａ〜６３ｄによって区切られた開口部のそれぞれには、ハニカム構造のサブ・ブリッジ６５ａ〜６５ｈが形成されている。サブ・ブリッジ６５ａ〜６５ｈは、メイン・ブリッジ６３ａ〜６３ｄおよび周辺部５１に連絡しており、押圧に対して化粧カバー２１を支持するために設けられている。上部筐体２３にはメイン・ブリッジ６３ａ〜６３ｄおよびサブ・ブリッジ６５ａ〜６５ｄを同一平面上で横切るような経路で、無線アンテナ１０１〜１０３、１１１、１１２に接続されたケーブルを通すケーブル・ダクト８１が形成されている。
【００２４】
メイン・ブリッジ６３ａは周辺部５１のコーナー５３ａと５３ｄの間を連絡するように形成される。メイン・ブリッジ６３ｂはコーナー５３ｂと５３ｃの間を連絡するように形成される。メイン・ブリッジ６３ｃは長辺部５５ａ、５５ｂの中点付近の位置５７ａと５７ｂとの間を連絡するように形成される。メイン・ブリッジ６３ｄは短辺部５９ａ、５９ｂの中点付近の位置６１ａと６１ｂとの間を連絡するように形成される。ノートＰＣ１０を閉じた状態で化粧カバー２１に加えられる押圧力は、メイン・ブリッジ６３ａ〜６３ｄから周辺部５１に伝わる。そして周辺部のコーナー５３ａ〜５３ｄ、長辺部の中点付近の位置５７ａ、５７ｂ、短辺部の中点付近の位置６１ａ、６１ｂからメイン筐体１１に伝えられる。上部筐体２３には、無線アンテナ１０１〜１０３、１１１、１１２が取り付けられるアンテナ位置８１〜８３、８４、８５が形成されている。アンテナ位置８１〜８３、８４、８５は、上部筐体２３の底面に形成され、各無線アンテナのグランドが配置される。
【００２５】
無線アンテナ１０１〜１０３、１１１、１１２は、それぞれ上部筐体２３の底面に沿って配置される面積の大きな領域を有するグランドとグランドに対してほぼ直角に折れ曲がるように形成された放射素子で構成されている。無線アンテナ１０１、１１１はメイン・アンテナであるため特に優れた特性が要求される。したがって、ノートＰＣ１０には、組み立て後に無線アンテナ１０１、１１１の放射素子と化粧カバーの内壁との距離を設定距離にするアンテナ距離設定機構が設けられている。
【００２６】
図４（ａ）は、アンテナ距離設定機構を説明する斜視図で、図４（ｂ）はネジ２５１ａおよびその周囲を長手方向に切断した位置での断面図である。無線アンテナ１０１、１１１は、それぞれ無線ＬＡＮおよび無線ＷＡＮのメイン・アンテナとして使用されるため、共振周波数や利得などを厳密に維持する必要があり、アンテナ距離設定機構により放射素子と内壁との距離が設定距離に維持されるようにしている。アンテナ支持部材２００は、合成樹脂で細長い形状に一体成形され上部筐体２３の側面９３に沿って配置されている。アンテナ支持部材２００の本体２０５の両端部に位置する端部２０１ａ、２０１ｂには、上部筐体２３に取り付けるための固定穴２０３ａ、２０３ｂが形成されている。そして、アンテナ支持部材２００は、ネジ２５１ａ、２５１ｂで上部筐体２３の一部である固定部８６ａ、８６ｂに取り付けられる。ネジ２５１ａと２５１ｂによる取り付け構造は同一である。
【００２７】
図４（ｂ）にネジ２５１ａによる取り付け構造を示すように、固定穴２０３ａを貫通したねじ２５１ａが、上部筐体２３の側面９３に形成された固定部８６ａのボスにタッピングされたねじ穴８７ａに取り付けられる。固定穴２０３ａの開口部は長穴形状になっている。ネジ２５１ａの長さは端部２０１ａの肉厚よりも長くなっており、ネジ２５１ａ、２５１ｂを完全に締め込んでもアンテナ支持部材２００は、固定部８６ａ、８６ｂに固定されないようになっている。したがって、端部２０１ａ、２０１ｂは上部筐体２３には完全に固定されず、かつ上部筐体２３から脱落もしないように取り付けられ、固定穴２０３ａ、２０３ｂとネジ２５１ａ、２５１ｂが許容する範囲で側面９３に垂直な方向に移動可能になっている。
【００２８】
アンテナ支持部材２００の本体２０５は、端部２０１ａ、２０１ｂに比べて中央部が外側（化粧カバーの内壁側）に膨らんだアーチ状に形成されている。本体２０５には、化粧カバー２１の内壁に対向するように突起部２１１ａ〜２１１ｄが形成されている。突起部２１１ａ〜２１１ｄの先端はほぼ同一平面にあり、放射素子１０５、１１３の表面よりも本体２０５から突き出ている。突起部２１１ａ、２１１ｂは放射素子１０５の両側に配置され、突起部２１１ｃ、２１１ｄは放射素子１１３の両側に配置される。本体２０５と上部筐体２３の側面９３の間には、端部２０１ａ、２０１ｂの近辺にゴムやウレタンで形成された弾力部材２０９ａ、２０９ｂが設けられている。弾力部材２０９ａ、２０９ｂは、接着剤で本体２０５または側面９３に固定することができる。弾力部材２０９ａ、２０９ｂはアンテナ支持部材２００が化粧カバー２１に取り付けられたときには、突起部２１１ａ〜２１１ｄが化粧カバー２１の内壁から圧力を受け、本体２０５と側面９３により圧縮されてアンテナ支持部材２００に弾力を付与するように構成されている。
【００２９】
無線アンテナ１０１、１１１はそれぞれ放射素子１０５、１１３とグランド１０４、１１２で構成されている。無線アンテナ１０１、１１１の放射素子１０５、１１３は、上部筐体２３の側面９３に平行になるように本体２０５に接着剤で貼り付けられる。なお、放射素子１０５、１１３の長さは共振周波数の相違により実際には異なるが、図では簡略化して記載している。グランド１０４、１１２は、上部筐体２３の底面９１に沿って配置されているがそこに固定はされておらず、放射素子１０５、１１３に結合されていることにより、アンテナ支持部２００の移動に伴って底面９１に沿ってスライドする構造になっている。無線アンテナ１０１、１１１は、端部に放射素子１０５、１１３が形成され、残る部分がグランド１０４、１１２となるように１枚の金属プレートに対する打ち抜き加工によって製作されている。無線アンテナ１０１、１１１は放射素子１０５、１１３とグランド１０４、１１２の境界でそれぞれほぼ９０度に折り曲げられる。
【００３０】
無線アンテナ１０１、１１１は、共振周波数の１／４波長で共振する逆Ｆ型アンテナとして構成されそれぞれの放射素子およびグランドが、図３のケーブル・ダクト８１を通るケーブルでメイン筐体１１に収納された無線モジュールおよび共通グランドに接続される。本発明は、逆Ｌ型アンテナやループ・アンテナなどのような他の構造のアンテナに適用することもできる。
【００３１】
図５は、アンテナ距離設定機構が化粧カバー２１の内壁２４と放射素子１０５、１１３の間隔を設定する様子を説明する図である。図５は、無線アンテナ１０１、１１１が取り付けられた上部筐体２３に化粧カバー２１が取り付けられたときの上部筐体２３の底面の状態を説明する平面図である。化粧カバー２１が取り付けられる前は、アンテナ支持部材２００の本体２０５は、弾力部材２０９ａ、２０９ｂにより付与される弾力により化粧カバー２１の内壁２４に垂直な矢印Ｙ方向に固定穴２０３ａ、２０３ｂが許容する限界まで押し付けられて静止している。
【００３２】
つぎに、化粧カバー２１をその内壁２４が突起部２１１ａ〜２１１ｄの先端に接触するようにしながら上部筐体２３の所定の位置にネジで固定する。そのとき、内壁２４は、弾力部材２０９ａ、２０９ｂの弾力に抗して突起部２１１ａ〜２１１ｄを内壁に垂直な矢印Ｘ方向に押し込むようになっている。化粧カバー２１が上部筐体２３にネジで固定されたときにも弾力部材２０９ａ、２０９ｂはアンテナ支持部材２００に対して矢印Ｙ方向の弾力を付与するように各構成要素の寸法および位置関係が決定されている。したがって、突起部２１１ａ〜２１１ｄの先端部は内壁２４に密着した状態を維持するため、放射素子１０５、１１３の表面と内壁２４との距離は、突起部２１１ａ〜２１１ｄと放射素子１０５、１１３の本体２０５からの高さによって決定される値になる。
【００３３】
アンテナ支持部材２００は、中央部が端部２０１ａ、２０１ｂに比べて内壁２４に近づくようにアーチ状になっている。したがって、アンテナ支持部材２００が端部２０１ａ、２０１ｂの近くで弾力部材２０９ａ、２０９ｂにより弾力が付与されている場合でも、アンテナ支持部材２００が内壁２４の平面に適応して弾力的に変形することにより、本体２０５の長手方向全体に渡って本体２０５と内壁２４との間隔を設定距離にすることができる。
【００３４】
突起部２１１ａ〜２１１ｄと放射素子１０５、１１３の本体からの高さに対する公差は、化粧カバー２１の上部筐体２３に対する取り付け公差に比べて十分に小さくすることができるので、無線アンテナを製作するときに設定した設定距離を実質的に確保することが可能になる。突起部２１１ａ〜２１１ｂは、アンテナ支持部材２００ではなく化粧カバー２１の内壁２４に形成してもよい。化粧カバー２１が上部筐体２３に取り付けられた状態で、放射素子１０５、１１３と内壁２４との間には隙間が設けられているので、頻繁に化粧カバー２１を取り外しても内壁２４と放射素子１０５、１１３の表面が接触して放射素子が損傷するようなことはない。
【００３５】
前述のように、無線ＬＡＮにおいては無線アンテナ１０１を、無線ＷＡＮにおいては無線アンテナ１１１を、それぞれメインのアンテナとして使用しているので、本実施の形態ではその他の無線アンテナ１０２、１０３、１１２に対してはアンテナ距離設定機構を設けていない。ただし、これらの無線アンテナにもアンテナ距離設定機構を設けてアンテナ特性をより良好な状態にすることも可能である。本実施の形態では、アンテナ支持部材２００にアンテナ１０１、１１１を取り付けて両者の設定距離を同じ値にしている。しかし、本発明の範囲において、内壁２４に対する設定距離が異なる値となるようにアンテナ支持部材２００の本体２０５に段差を設けることも可能である。このようにすることで、無線アンテナを製作する自由度を広げることができる。
【００３６】
以上で述べたアンテナ距離設定機構の構成は、ノートＰＣに限らず、無線アンテナを搭載する電子機器全般に対して適用できる。たとえば、１つの筐体に液晶ディスプレイと電子回路の両方を搭載したタブレット形コンピュータ、ＰＤＡ、携帯電話、ゲーム機などについても、以上で述べた構造を適用することが可能である。また、本発明の適用が可能な通信規格は無線ＬＡＮや無線ＷＡＮには限定されず、たとえばワイヤレスＵＳＢ、ブルートゥース（登録商標）などの無線アンテナに対しても本発明は適用可能である。さらに、本発明の無線アンテナと化粧カバーの内壁との間隔を設定する機構は、化粧カバーの着脱を繰り返しても無線アンテナが損傷しないので、複数の化粧カバーをユーザ側で着脱して交換できるようにし、色や触感などをユーザの好みに応じて選択させるようにすることもできる。
【００３７】
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
【産業上の利用可能性】
【００３８】
誘電材料で形成された化粧カバーで覆われた無線アンテナを内蔵する電子機器に利用が可能である。
【図面の簡単な説明】
【００３９】
【図１】本発明の実施の形態にかかるノートＰＣの構成を示す斜視図である。
【図２】ディスプレイ側ユニットの構成を示す分解斜視図である。
【図３】上部筐体の構造を説明する斜視図である。
【図４】アンテナ距離設定機構の構成を説明する斜視図および断面図である。
【図５】アンテナ距離設定機構が無線アンテナと化粧カバーの内壁の間隔を設定する様子を説明する図である。
【符号の説明】
【００４０】
１０…ノートＰＣ
１１…メイン筐体
１３…ディスプレイ側ユニット
２１…化粧カバー
２３…上部筐体
２４…化粧カバーの内壁
２５…ディスプレイ・モジュール
２７…ベゼル
１０１、１０２、１０３…無線アンテナ（無線ＬＡＮ）
１０５、１１３…放射素子
１０４、１１２…グランド
１１１、１１２…無線アンテナ（無線ＷＡＮ）
２００…アンテナ支持部材
２０１ａ、２０１ｂ…端部
２０３ａ、２０３ｂ…固定穴
２０５…アンテナ支持部材の本体
２０９ａ、２０９ｂ…弾力部材
２１１ａ〜２１１ｄ…突起部（ストッパ）
【図１】
2008244963.tif 000003
【図２】
2008244963.tif 000004
【図３】
2008244963.tif 000005
【図４】
2008244963.tif 000006
【図５】
2008244963.tif 000007